(57)【要約】  表示パネル（１０２）の電源をオフする前に、複数の画素Ｐの各々の対向電極ＣＯＭの電位を、ＶＣＯＭ１から、上記電源をオフした後において当該画素Ｐのドレイン電極の電位を対向電極ＣＯＭの電位に揃えるためのＶＣＯＭ２へ切り替えるＶＣＯＭ選択回路（１２２）を備える。
2013129239.tif 000002
【特許請求の範囲】
【請求項１】
複数の画素、複数のゲート信号ライン、および複数のソース信号ラインを有する表示パネルを駆動する駆動装置であって、
前記複数のゲート信号ラインを順次選択して走査する走査線駆動回路と、
選択されたゲート信号ラインに接続された複数の画素の各々に対して、前記複数のソース信号ラインを介して、データ信号を書き込む信号線駆動回路と、
前記表示パネルの電源をオフする前に、前記複数の画素の各々の対向電極の電位を、第１の電位から、前記電源をオフした後において当該画素のドレイン電極の電位を前記対向電極の電位に揃えるための第２の電位へ切り替える切り替え手段と
を備えることを特徴とする駆動装置。
【請求項２】
前記切り替え手段は、
前記複数の画素の各々の対向電極の電位を、当該画素の前記第１の電位と当該画素のゲート電極のオフ電位とに応じた前記第２の電位へ切り替える
ことを特徴とする請求項１に記載の駆動装置。
【請求項３】
前記第１の電位をＶＣＯＭ１、前記第２の電位をＶＣＯＭ２、前記ゲート電極のオフ電位をＶＧＬ、とした場合において、以下に示す数式（１）〜（３）を全て満たすように、前記第２の電位が設定されていることを特徴とする請求項２に記載の駆動装置。
（ＶＣＯＭ１−β×ＶＣＯＭ２）＝α×ＶＧＬ・・・（１）
α＝ＣＤ−Ｇ／（ＣＬＣ＋ＣＣＳ＋ＣＤ−Ｇ＋ＣＤ−Ｓ１＋ＣＤ−Ｓ２）・・・（２）
β＝ＣＬＣ／（ＣＬＣ＋ＣＣＳ＋ＣＤ−Ｇ＋ＣＤ−Ｓ１＋ＣＤ−Ｓ２）・・・（３）
但し、ＣＤ−Ｇは、ゲート−ドレイン間の寄生容量を示す。また、ＣＤ−Ｓ１は、ソース（Ｎ）−ドレイン間の寄生容量を示す。また、ＣＤ−Ｓ２は、ソース（Ｎ＋１）−ドレイン間の寄生容量を示す。また、ＣＬＣは、液晶容量を示す。また、ＣＣＳは、補助容量を示す。
【請求項４】
前記対向電極と補助電極とが共通に構成されている画素に対しては、上記数式（３）の代わりに、以下数式（３）´を満たすように、前記第２の電位が設定されていることを特徴とする請求項３に記載の駆動装置。
β＝（ＣＬＣ＋ＣＣＳ）／（ＣＬＣ＋ＣＣＳ＋ＣＤ−Ｇ＋ＣＤ−Ｓ１＋ＣＤ−Ｓ２）・・・（３）´
【請求項５】
前記信号線駆動回路は、
前記表示パネルの電源をオフする前に、前記複数の画素の各々に対して、ＧＮＤ電圧を書き込む
ことを特徴とする請求項１から４のいずれか一項に記載の駆動装置。
【請求項６】
前記切り替え手段は、
前記信号線駆動回路が前記ＧＮＤ電圧の書き込みを行う期間に、前記対向電極の電位を、前記第１の電位から前記第２の電位へ切り替える
ことを特徴とする請求項５に記載の駆動装置。
【請求項７】
前記信号線駆動回路は、
当該駆動装置の外部から供給される制御信号によって、前記ＧＮＤ電圧の書き込みを開始するタイミングが制御される
ことを特徴とする請求項５または６に記載の駆動装置。
【請求項８】
前記複数の画素の各々の前記第２の電位は、当該画素のゲート電極のオフ電位が負極の場合、当該画素の前記第１の電位よりも高い電位であり、当該画素のゲート電極のオフ電位が正極の場合、当該画素の前記第１の電位よりも低い電位である
ことを特徴とする請求項１から７のいずれか一項に記載の駆動装置。
【請求項９】
前記信号線駆動回路は、
前記複数の画素の各々に対して、正極の前記データ信号と、負極の前記データ信号とを、交互に書き込む
ことを特徴とする請求項１から８のいずれか一項に記載の駆動装置。
【請求項１０】
複数の画素、複数のゲート信号ライン、および複数の信号線を有する表示パネルと、
請求項１から９のいずれか一項に記載の駆動装置と
を備えたことを特徴とする表示装置。
【請求項１１】
前記複数の画素の各々には、液晶画素が用いられていることを特徴とする請求項１０に記載の表示装置。
【請求項１２】
前記複数の画素の各々が有するスイッチング素子の半導体層には、酸化物半導体が用いられていることを特徴とする請求項１０または１１に記載の表示装置。
【請求項１３】
前記酸化物半導体は、ＩＧＺＯであることを特徴とする請求項１２に記載の表示装置。
【発明の詳細な説明】
【技術分野】
【０００１】
本発明は、駆動装置および表示装置に関する。
【背景技術】
【０００２】
近年、電子書籍端末、スマートフォン、携帯電話、ＰＤＡ（携帯型情報端末）、タブレット端末、ラップトップ型パーソナルコンピュータ、携帯ゲーム機、カーナビゲーション装置等の各種情報端末においては、液晶表示装置等の比較的薄型の表示装置が多く利用されている。このような表示装置においては、消費電力を低下させることや、表示画質を向上させることが共通の課題となっている。そこで、従来、表示装置に関し、このような課題を解決することを目的とした様々な技術が考案されている。【０００３】
例えば、各画素に画像データを書き込む走査期間と、各画素に画像データを書き込まない非走査期間とを設け、走査期間において各画素に書き込まれた画像データを、非走査期間において各画素に保持させておく技術が考案されている。この技術によると、画像データの書き込みを行う頻度が少なくなるために、表示装置の消費電力を低下させることが可能となっている。【０００４】
但し、このような技術を用いた場合、表示装置の電源をオフにした後も、画像データが画素に保持されたままとなってしまうといった問題が生じる場合がある。このような問題は、画素の焼き付きや液晶の劣化等の不具合が生じる要因ともなる。【０００５】
そこで、このような問題を解決するための技術として、下記引用文献１には、液晶表示装置の電源を停止する前に、全画素の容量素子に固定電位を書き込むことにより、容量素子の電極間の電位差を無くす技術が開示されている。この技術によると、液晶表示装置の電源の停止後に、液晶に電圧がかかり続けることがないため、液晶の劣化を防止することができるとされている。
【先行技術文献】
【特許文献】
【０００６】
【特許文献１】日本国公開特許公報「特開２０１１−１７０３２７号公報（公開日：２０１１年９月１日）」
【発明の概要】
【発明が解決しようとする課題】
【０００７】
しかしながら、上記特許文献１に開示されている技術では、一旦は容量素子の電極間の電位差を無くすことができたとしても、液晶表示装置の電源を停止したときに、ドレイン電極の電位が変動してしまう。これにより、対向電極とドレイン電極との間に電位差が生じてしまうこととなる。その理由について、図５を参照して、以下に説明する。【０００８】
（従来の表示装置による制御例）
図５は、従来の表示装置における、各種動作のタイミングを示すタイミングチャートである。特に、図５は、表示装置の電源をオフする際の、各種動作のタイミングを示す。【０００９】
図５において、（ａ）は、画素が備えるＴＦＴのソース電極の電位を示す。（ｂ）は、画素が備えるＴＦＴのドレイン電極の電位を示す。（ｃ）は、画素が備える対向電極ＣＯＭの電位を示す。（ｅ）は、画素が備えるＴＦＴのゲート電極の電位を示す。（ｆ）は、表示装置の電源の状態を示す。【００１０】
図５に示す例では、従来の表示装置において、通常走査期間、ＧＮＤ走査期間、および電源ＯＦＦ期間が設けられている。「通常走査期間」は、入力された映像信号に応じて表示パネルを駆動し、映像信号に応じた映像を表示パネルに表示させる期間である。また、「グランド走査期間」は、表示装置の電源がオフに切り替えられる前に、複数の画素の各々に対して、ＧＮＤ電圧を書き込む期間である。また、「電源ＯＦＦ期間」は、表示装置の電源がオフに切り替えられる期間である。【００１１】
ここで、通常走査期間およびグランド走査期間において、ドレイン電極の基準電位Ｖ１は、ＧＮＤよりも負極側にΔＶ１シフトしたもの（すなわち、−ΔＶ１）となっている。これに応じて、対向電極ＣＯＭの電位ＶＣＯＭ１は、ＧＮＤよりも負極側にΔＶ１シフトした電位（すなわち、−ΔＶ１）に設定されている。すなわち、通常走査期間およびグランド走査期間においては、ドレイン電極の基準電位と対向電極ＣＯＭの電位との間に、電位差が生じないようになっている。【００１２】
しかしながら、電源ＯＦＦ期間においては、対向電極ＣＯＭの電位は、ＧＮＤとなっているのに対し、ドレイン電極の電位は、ＧＮＤよりも高い電位となっている。すなわち、ドレイン電極と対向電極ＣＯＭとの間に電位差が生じてしまっている。【００１３】
その理由は、表示装置の電源がオフに切り替えられたことにより、ゲート電極の電位および対向電極ＣＯＭの電位の各々がＧＮＤへ変位し、その影響により、ドレイン電極の電位が、ＧＮＤよりも高い電位まで変位してしまったからである。【００１４】
表示装置において、このような電位差が生じ、その状態が長時間続いてしまうと、画素の焼き付きや液晶の劣化等の不具合が生じてしまう。特に、近年の表示装置においては、画素におけるＴＦＴのオフ特性が向上してきているため、このような電位差が生じてしまうと、その状態が長時間続いてしまう可能性が高い。【００１５】
このように、従来の表示装置では、各画素におけるドレイン電極と対向電極との電位差を生じさせずに、表示パネルの電源をオフすることができない。本発明は、前記の問題に鑑みてなされたものであり、その目的は、各画素におけるドレイン電極と対向電極との電位差を生じさせずに、表示パネルの電源をオフすることにある。
【課題を解決するための手段】
【００１６】
上述した課題を解決するため、本発明の一態様に係る駆動装置は、複数の画素、複数のゲート信号ライン、および複数のソース信号ラインを有する表示パネルを駆動する駆動装置であって、前記複数のゲート信号ラインを順次選択して走査する走査線駆動回路と、選択されたゲート信号ラインに接続された複数の画素の各々に対して、前記複数のソース信号ラインを介して、データ信号を書き込む信号線駆動回路と、前記表示パネルの電源をオフする前に、前記複数の画素の各々の対向電極の電位を、第１の電位から、前記電源をオフした後において当該画素のドレイン電極の電位を前記対向電極の電位に揃えるための第２の電位へ切り替える切り替え手段とを備えることを特徴とする。【００１７】
また、本発明の一態様に係る表示装置は、複数の画素、複数のゲート信号ライン、および複数の信号線を有する表示パネルと、上記駆動装置とを備えたことを特徴とする。
【発明の効果】
【００１８】
本発明の一態様によれば、各画素におけるドレイン電極と対向電極との電位差を生じさせずに、表示パネルの電源をオフすることができる。
【図面の簡単な説明】
【００１９】
【図１】実施形態に係る表示装置の主要部の構成を示す。
【図２】実施形態に係る表示装置における、各種動作のタイミングを示すタイミングチャートである。
【図３】実施形態に係る表示装置の表示パネルが備える画素の等価回路を示す。
【図４】酸化物半導体を用いたＴＦＴを含む、各種ＴＦＴの特性を示す図である。
【図５】従来の表示装置における、各種動作のタイミングを示すタイミングチャートである。
【発明を実施するための形態】
【００２０】
（実施形態１）
本発明に係る実施形態について、図面を参照して以下に説明する。
【００２１】
（表示装置の構成）
はじめに、図１を参照して、実施形態に係る表示装置１００の構成例について説明する。図１は、実施形態に係る表示装置１００の主要部の構成を示す。
【００２２】
この表示装置１００は、電子書籍端末、スマートフォン、携帯電話、ＰＤＡ、ラップトップ型パーソナルコンピュータ、携帯ゲーム機、カーナビゲーション装置等において、各種映像を表示するための表示装置として搭載されるものである。
【００２３】
図１に示すように、表示装置１００は、表示パネル１０２およびディスプレイ駆動回路１１０を備えている。
【００２４】
（表示パネル）
表示パネル１０２は、表示装置１００に入力された映像信号に応じた映像を表示する。この表示パネル１０２には、いわゆるアクティブマトリクス型の液晶表示パネルが採用されている。表示パネル１０２は、複数の画素Ｐ、複数のゲート信号ラインＧ（ｍ本のゲート信号ラインＧ（１）〜（ｍ））、および複数のソース信号ラインＳ（ｎ本のゲート信号ラインＧ（１）〜（ｎ））を備えている。
【００２５】
複数の画素Ｐは、格子状に配設されている。これにより、複数の画素Ｐは、複数の画素列および複数の画素行（ｎ画素列×ｍ画素行）を形成している。本実施形態では、各画素Ｐには、ＴＦＴ液晶画素が用いられている。ゲート信号ラインＧは、画素行毎に設けられている。各ゲート信号ラインＧは、対応する画素行の各画素Ｐに対してゲート信号（走査信号）を供給するための信号路として設けられている。ソース信号ラインＳは、画素列毎に設けられている。各ソース信号ラインＳは、対応する画素列各画素Ｐに対してソース信号（画像データ信号）を供給するための信号路として設けられている。
【００２６】
（ディスプレイ駆動回路）
ディスプレイ駆動回路１１０は、入力された映像信号に応じて表示パネル１０２を駆動することにより、この映像信号に応じた映像を表示パネル１０２に表示させる。図１に示すように、ディスプレイ駆動回路１１０は、タイミングコントローラ１１２、電源生成回路１１３、走査線駆動回路１１４、および信号線駆動回路１２０を備えている。
【００２７】
（タイミングコントローラ）
タイミングコントローラ１１２には、外部（例えば、システム側コントロール部）から映像信号が入力される。ここでいう映像信号には、クロック信号、同期信号、画像データ信号等が含まれる。そして、タイミングコントローラ１１２は、この映像信号に従って、各駆動回路（走査線駆動回路１１４および信号線駆動回路１２０）の動作および動作タイミングを制御する。例えば、タイミングコントローラ１１２は、走査線駆動回路１１４に対して、走査制御信号として、ＧＳＰ、ＧＣＫ、ＧＯＥを出力する。また、タイミングコントローラ１１２は、信号線駆動回路１２０に対して、画像データ信号および同期信号を供給する。タイミングコントローラ１１２の制御により、各駆回路は、互いに同期して動作し、表示パネル１０２には、上記映像信号に応じた映像が表示されることとなる。
【００２８】
（電源生成回路）
電源生成回路１１３は、外部（例えば、システム側コントロール部）から供給された入力電源から、走査線駆動回路１１４および信号線駆動回路１２０が必要とする電圧の各々を生成する。そして、電源生成回路１１３は、走査線駆動回路１１４および信号線駆動回路１２０の各々に対して、生成した電圧を供給する。
【００２９】
（走査線駆動回路）
走査線駆動回路１１４は、タイミングコントローラ１１２から供給された走査制御信号に従って、各ゲート信号ラインＧを駆動する。具体的には、走査線駆動回路１１４は、上記走査制御信号に従って、複数のゲート信号ラインＧを１本ずつ順次選択し、選択したゲート信号ラインＧに対して、オン電圧を印加する（すなわち、ゲート信号を供給する）。これにより、当該ゲート信号ラインＧ上の各画素Ｐにおいて、スイッチング素子がオンに切り替えられる。本実施形態では、各画素Ｐが有するスイッチング素子には、ｎチャネルＴＦＴが用いられているが、これ以外のスイッチング素子が用いられてもよい。
【００３０】
（信号線駆動回路）
信号線駆動回路１２０は、タイミングコントローラ１１２から供給された同期信号に応じたタイミングで、走査線駆動回路１１４によって駆動されたゲート信号ラインＧ上の各画素Ｐに対して、タイミングコントローラ１１２から供給された画像データ信号を書き込む。具体的には、信号線駆動回路１２０は、駆動されたゲート信号ラインＧ上の各画素Ｐに対して、対応するソース信号ラインＳを介して、当該画素に書き込まれる画像データ信号に応じた電圧を印加する。これにより、上記各画素Ｐに対して、画像データ信号が書き込まれることとなる。
【００３１】
そして、上記各画素Ｐにおいては、液晶容量Ｃｌｃの画素電極へ、画像データ信号が供給されることとなる。これにより、上記各画素Ｐにおいては、液晶容量Ｃｌｃの画素電極と対向電極ＣＯＭとの間に封入されている液晶の配列方向が、供給された画像データ信号の電圧レベルと対向電極ＣＯＭに供給された対向電圧の電圧レベルの差分に応じて変化し、この差分に応じた画像が表示されることとなる。
【００３２】
（対向電極駆動回路）
ここで、本実施形態の信号線駆動回路１２０は、対向電極駆動回路としての機能を有している。例えば、信号線駆動回路１２０は、複数の画素Ｐの各々に設けられている対向電極ＣＯＭに対し、当該対向電極ＣＯＭを駆動するための対向電圧ＶＣＯＭを供給することが可能となっている。
【００３３】
特に、本実施形態の信号線駆動回路１２０は、上記対向電圧ＶＣＯＭの電圧値を制御することが可能となっている。このために、信号線駆動回路１２０は、図１に示すように、ＶＣＯＭ選択回路１２２、ＶＣＯＭ記憶部１２４、およびＤ／Ａコンバータ１２６を備えている。
【００３４】
ＶＣＯＭ記憶部１２４には、対向電圧ＶＣＯＭの複数の電圧値が記憶されている。上記複数の電圧値には、第１の電位および第２の電位が含まれている。第１の電位および第２の電位については、後で詳しく説明する。
【００３５】
ＶＣＯＭ選択回路１２２は、ＶＣＯＭ記憶部１２４に記憶されている複数の電圧値の中から、複数の画素Ｐの各々の対向電極ＣＯＭに供給する電圧値を選択する。この選択は、タイミングコントローラ１１２から供給されるＶＣＯＭ制御信号（対向電圧制御信号）に従って行われる。ＶＣＯＭ選択回路１２２によって選択された電圧値は、Ｄ／Ａコンバータ１２６へ供給される。
【００３６】
Ｄ／Ａコンバータ１２６は、供給された電圧値（デジタル信号）に基づいて、その電圧値を有する対向電圧ＶＣＯＭ（アナログ信号）を生成する。そして、Ｄ／Ａコンバータ１２６は、各対向電極ＣＯＭに対して、生成した対向電圧ＶＣＯＭを供給する。
【００３７】
この構成により、表示装置１００は、ＶＣＯＭ選択回路１２２へ入力する制御信号の信号値によって、対向電圧ＶＣＯＭの電圧値を任意に切り替えることが可能となっている。
【００３８】
（対向電圧の制御例）
以下、図２を参照して、実施形態に係る表示装置１００における、対向電圧の制御例を説明する。図２は、実施形態に係る表示装置１００における、各種動作のタイミングを示すタイミングチャートである。特に、図２は、表示装置１００の電源をオフする際の、各種動作のタイミングを示す。
【００３９】
図２において、（ａ）は、画素Ｐが備えるＴＦＴのソース電極の電位を示す。（ｂ）は、画素Ｐが備えるＴＦＴのドレイン電極の電位を示す。（ｃ）は、対向電極ＣＯＭの電位を示す。（ｄ）は、ＶＣＯＭ制御信号の波形を示す。（ｅ）は、画素Ｐが備えるＴＦＴのゲート電極の電位を示す。（ｆ）は、表示装置１００の電源の状態を示す。
【００４０】
図２に示すように、表示装置１００においては、通常走査期間、ＧＮＤ走査期間、および電源ＯＦＦ期間が設けられている。「通常走査期間」は、入力された映像信号に応じて表示パネル１０２を駆動し、映像信号に応じた映像を表示パネル１０２に表示させる期間である。「グランド走査期間」は、表示装置１００の電源がオフされる前に、複数の画素Ｐの各々に対して、ＧＮＤ電圧を書き込む期間である。「電源ＯＦＦ期間」は、表示装置１００の電源がオフに切り替えられる期間である。
【００４１】
以下、通常走査期間、ＧＮＤ走査期間、および電源ＯＦＦ期間の各々における、表示装置１００の動作を具体的に説明する。なお、以下の説明では、表示パネル１０２のある１つの画素Ｐに関連付けて、表示装置１００の動作を説明しているが、他の画素Ｐについても同様の動作がなされる。
【００４２】
（１）通常走査期間
この通常走査期間においては、まず、画素Ｐのソース電極に対し、信号線駆動回路１２０から、対応するソース信号ラインＳを介して、対応する画像データが供給される。
【００４３】
そして、対応するゲート信号ラインＧを介して、画素Ｐのゲート電極にオン電圧が印加されると、画素ＰのＴＦＴがオン状態となる。これにより、画素Ｐにおいて、ソース電極に供給された画像データは、ＴＦＴを通じて、ドレイン電極に供給される。すなわち、画像データが画素Ｐに書き込まれる。そして、画素Ｐにおいては、ドレイン電極と対向電極ＣＯＭとの電位差に応じて、液晶における光の透過量が調整され、画像データに応じた画像が表示される。画素Ｐに書き込まれた画像データは、そのフレームが終了するまで、画素Ｐに保持される。但し、そのフレームの後に休止期間が設けられている場合、上記画像データは、その休止期間中、画素Ｐに保持される場合もある。
【００４４】
表示装置１００は、通常走査期間中、上記動作を繰り返す。これにより、画素Ｐには、１フレーム毎に、画像データが書き込まれて、この画像データに応じた画像が表示されることとなる。なお、図２に示す例では、表示装置１００は、画像データの極性が１フレーム毎に反転する駆動方式が採用されている。これ以外にも、表示装置１００には、２以上のフレーム毎に極性が反転する駆動方式や、画像データの書き込みを行わない休止期間（休止フレーム）が設けられる駆動方式等が採用される場合もある。
【００４５】
ここで、図２に示すように、ドレイン電極の電位は、ソース電極の電位よりも、負極側にΔＶ１シフトされている。このようなシフトが生じるのは、ＴＦＴおよび配線の抵抗や、寄生容量等の影響を受けるからである。これにより、ソース電極の基準電位がＧＮＤとなっているのに対し、ドレイン電極の基準電位Ｖ１は、ＧＮＤよりも負極側にΔＶ１シフトしたもの（すなわち、−ΔＶ１）となっている。これに応じて、対向電極ＣＯＭの電位は、ＧＮＤよりも負極側にΔＶ１シフトしたＶＣＯＭ１（すなわち、−ΔＶ１）となっている。
【００４６】
（２）グランド走査期間
表示装置１００の電源がオフされる際には、まず、外部（例えば、システム側コントロール部）から、タイミングコントローラ１１２に対して、表示装置１００の電源をオフする旨の制御信号が供給される。この制御信号をタイミングコントローラ１１２が受け取ると、表示装置１００は、グランド走査期間に入る。
【００４７】
グランド走査期間においては、信号線駆動回路１２０から、画素Ｐのソース電極に対して、画像データの代わりに、ＧＮＤ電圧が印加される。したがって、このグランド走査期間において、ソース電極の電位は、基準電位であるＧＮＤとなる。
【００４８】
そして、対応するゲート信号ラインＧを介して、画素Ｐのゲート電極にオン電圧が印加されると、画素ＰのＴＦＴがオン状態となる。これにより、画素Ｐにおいては、ソース電極に印加されたＧＮＤ電圧が、負極側にΔＶ１シフトしつつ、ＴＦＴを通じて、ドレイン電極に供給される。これにより、このグランド走査期間において、ドレイン電極の電位は、基準電位であるＶ１となる。
【００４９】
このように、本実施形態の表示装置１００は、電源がオフに切り替えられる前に、各画素ＰにＧＮＤ電圧を書き込み、各画素Ｐのドレイン電極の電位を基準電位としておく。これにより、本実施形態の表示装置１００は、電源がオフに切り替えられる前に、ドレイン電極と共通電極ＣＯＭとの電位差を減らしておき、電源がオフに切り替えられた時の表示不具合を防止することができるようになっている。
【００５０】
また、グランド走査期間においては、タイミングコントローラ１１２から信号線駆動回路１２０へ、ＶＣＯＭ制御信号が供給される。このＶＣＯＭ制御信号は、対向電極の電位の切り替えを指示するものである。この例では、ＶＣＯＭ制御信号がタイミングコントローラ１１２から供給されることとしているが、外部（例えば、システム側コントロール部）から供給されてもよい。
【００５１】
表示装置１００は、このＶＣＯＭ制御信号として、対向電極の切り替え先をＶＣＯＭ１とするかＶＣＯＭ２とするかを２値（０および１）で示すものを用いてもよい。表示装置１００は、少なくとも対向電極の切り替え先を識別可能なものであれば、ＶＣＯＭ制御信号として、上記以外のものを用いてもよい。例えば、表示装置１００は、ＶＣＯＭ制御信号として、ＳＰＩ（Serial Peripheral Interface）等のように、複数ビットから構成されており、かつシリアル転送されるものを用いてもよい。
【００５２】
ＶＣＯＭ制御信号を受け取った信号線駆動回路１２０は、対向電圧をＶＣＯＭ１からＶＣＯＭ２に切り替える。これにより、図２の枠囲みＡに示すように、対向電極ＣＯＭの電位は、ＶＣＯＭ１からＶＣＯＭ２に切り替えられる。
【００５３】
この例では、ゲート電極のオフ電位が負極となっているため、ＶＣＯＭ２は、ＶＣＯＭ１よりも高い電位となっている。すなわち、ＶＣＯＭ２は、ＧＮＤとの電位差がＶＣＯＭ１よりも小さくなっている。
【００５４】
ゲート電極のオフ電位が正極となっている場合、ＶＣＯＭ２は、ＶＣＯＭ１よりも低い電位となる。この場合も、ＶＣＯＭ２は、ＧＮＤとの電位差がＶＣＯＭ１よりも小さくなる。
【００５５】
なお、表示装置１００は、１つのフレームをグランド走査期間としてもよく、複数のフレームをグランド走査期間としてもよい。
【００５６】
（３）電源ＯＦＦ期間
表示装置１００の電源がオフに切り替えられると、走査線駆動回路１１４および信号線駆動回路１２０に対する電源の供給が途絶える。
【００５７】
これにより、図２の枠囲みＢに示すように、ゲート電極の電位はＶＧＬからＧＮＤへ変位する。その変位量は、｜ＶＧＬ｜である。同時に、対向電極ＣＯＭの電位は、ＶＣＯＭ２からＧＮＤへ変位する。その変位量は、｜ＶＣＯＭ２｜である。
【００５８】
さらに、上記ゲート電極の電位および上記対向電極ＣＯＭの電位の各々が変位したことの影響を受けて、ドレイン電極の電位が変位する。その変位量は、上記ゲート電極の電位の変位量、および、上記対向電極ＣＯＭの電位の変位量に応じたものとなる。
【００５９】
そこで、上記したとおり、本実施形態の表示装置１００は、当該表示装置１００の電源がオフに切り替えられる前に、対向電極ＣＯＭの電位を、ＶＣＯＭ２に切り替える。このＶＣＯＭ２には、ドレイン電極の変位量を適切なものとするために、この変位量に影響を及ぼすドレイン電極の電位およびゲート電極のオフ電位に応じた値が用いられている。特に、本実施形態では、対向電極ＣＯＭの電位がＧＮＤまで変位するのに合わせて、ドレイン電極の電位がＧＮＤまで変位するように、ＶＣＯＭ２が設定されている。
【００６０】
これにより、本実施形態の表示装置１００は、表示装置１００の電源がオフに切り替えられると、ゲート電極の電位および対向電極ＣＯＭの電位の各々がＧＮＤまで変位するのとともに、ドレイン電極の電位も、ＧＮＤまで変位する（図２の枠囲みＢ参照）。すなわち、本実施形態の表示装置１００は、対向電極ＣＯＭとドレイン電極との電位差を生じさせることなく、当該表示装置１００の電源をオフすることが可能となっている。
【００６１】
（ＶＣＯＭ２の算出例）
以下、図３を参照して、表示装置１００に適用するＶＣＯＭ２の算出例について説明する。図３は、表示パネル１０２が備える画素Ｐの等価回路を示す。図３では、表示パネル１０２が備える複数の画素Ｐのうちの１つの画素Ｐの構成を示している。なお、表示パネル２が備えるその他の画素Ｐについても、この画素Ｐと同様の構成である。
【００６２】
図３において、ＣＤ−Ｇは、ゲート−ドレイン間の寄生容量を示す。また、ＣＤ−Ｓ１は、ソース（Ｎ）−ドレイン間の寄生容量を示す。また、ＣＤ−Ｓ２は、ソース（Ｎ＋１）−ドレイン間の寄生容量を示す。また、ＣＬＣは、液晶容量を示す。また、ＣＣＳは、補助容量を示す。また、ＣＯＭは、対向電極を示す。また、ＣＳは、補助電極を示す。
【００６３】
表示装置１００の電源がオフに切り替えられた時の、ドレイン電極の変位量は、以下数式（１）〜（３）を用いて求めることが可能である。
【００６４】
β×（−ＶＣＯＭ２）＋α×（−ＶＧＬ）・・・（１）
上記αは、以下数式（２）によって求められる。
【００６５】
α＝ＣＤ−Ｇ／（ＣＬＣ＋ＣＣＳ＋ＣＤ−Ｇ＋ＣＤ−Ｓ１＋ＣＤ−Ｓ２）・・・（２）
上記βは、以下数式（３）によって求められる。
【００６６】
β＝ＣＬＣ／（ＣＬＣ＋ＣＣＳ＋ＣＤ−Ｇ＋ＣＤ−Ｓ１＋ＣＤ−Ｓ２）・・・（３）
特に、ＣＯＭ電極とＣＳ電極を共通にする構成では、上記数式（３）の代わりに、以下数式（３）´を用いることが好ましい。
【００６７】
β＝（ＣＬＣ＋ＣＣＳ）／（ＣＬＣ＋ＣＣＳ＋ＣＤ−Ｇ＋ＣＤ−Ｓ１＋ＣＤ−Ｓ２）・・・（３）´
上記したとおり、表示装置１００の電源がオフに切り替えられると、対向電極ＣＯＭの電位はＧＮＤへ変位するから、対向電極ＣＯＭとドレイン電極との電位差を無くすためには、ドレイン電極の電位をＧＮＤまで変位させる必要がある。表示装置１００の電源がオフとなる直前における、ドレイン電極の電位は−ΔＶ１であるから、ドレイン電極の電位をＧＮＤまで変位させるためには、ドレイン電極の変位量をΔＶ１とする必要がある。
【００６８】
したがって、ドレイン電極の変位量を求めるための上記数式（１）の算出結果が、ΔＶ１と等しくなるように、すなわち、−ΔＶ１−β×ＶＣＯＭ２＝α×ＶＧＬとなるように、ＶＣＯＭ２を設定することで、表示装置１００の電源がオフに切り替えたときに、対向電極ＣＯＭとドレイン電極との電位差が生じないようにすることができる。上記−ΔＶ１は、ＶＣＯＭ１と表現することもできる。その理由は、図２に示すように、ドレイン電極の基準電位Ｖ１と対向電極の電位ＶＣＯＭ１とは、実質的に同じだからである。
【００６９】
（効果）
以上説明したように、本実施形態の表示装置１００によれば、対向電極ＣＯＭとドレイン電極との電位差を生じさせることなく、表示パネル１０２の電源をオフに切り替えることができる。したがって、本実施形態の表示装置１００によれば、画素の焼き付きや液晶の劣化等の不具合の生じ難い表示装置を提供することができる。
【００７０】
特に、本実施形態の表示装置１００によれば、ＶＣＯＭ２として、ドレイン電極の電位の変位量に影響を及ぼす各種電位および各種容量を考慮したものを用いているため、ドレイン電極の電位の変位量をより適切なものとし、表示パネルの電源をオフしたときに、対向電極ＣＯＭとドレイン電極との電位差をより生じさせないことができる。
【００７１】
（表示パネル１０２の画素）
次に、上記各実施形態に係る表示装置１００が備える表示パネル１０２の画素について説明する。
【００７２】
上記各実施形態の表示装置１００においては、表示パネル１０２が備える複数の画素Ｐの各々のスイッチング素子として、いわゆる酸化物半導体を用いたＴＦＴを採用しており、特に、上記酸化物半導体として、インジウム（Ｉｎ）、ガリウム（Ｇａ）、および亜鉛（Ｚｎ）から構成される酸化物である、いわゆるＩＧＺＯ（ＩｎＧａＺｎＯｘ）が用いられているＴＦＴを採用している。以下、酸化物半導体を用いたＴＦＴの優位性を説明する。
【００７３】
（ＴＦＴ特性）
図４は、酸化物半導体を用いたＴＦＴを含む、各種ＴＦＴの特性を示す図である。この図４では、酸化物半導体を用いたＴＦＴ、ａ−Ｓｉ（amorphous silicon）を用いたＴＦＴ、およびＬＴＰＳ（Low Temperature Poly Silicon）を用いたＴＦＴの各々の特性を示す。
【００７４】
図４において、横軸（Ｖｇｈ）は、上記各ＴＦＴにおいてゲートに供給されるオン電圧の電圧値を示し、縦軸（Ｉｄ）は、上記各ＴＦＴにおけるソース−ドレイン間の電流量を示す。特に、図中において「ＴＦＴ−ｏｎ」は所定のオン電圧を示し、「ＴＦＴ−ｏｆｆ」は、所定のオフ電圧を示す。
【００７５】
図４に示すように、酸化物半導体を用いたＴＦＴは、ａ−Ｓｉを用いたＴＦＴよりも、オン状態の時の電子移動度が高い。図示は省略するが、具体的には、ａ−Ｓｉを用いたＴＦＴは、そのＴＦＴ−ｏｎ時のＩｄ電流が１ｕＡであるのに対し、酸化物半導体を用いたＴＦＴは、そのＴＦＴ−ｏｎ時のＩｄ電流が２０〜５０ｕＡ程度である。このことから、酸化物半導体を用いたＴＦＴは、ａ−Ｓｉを用いたＴＦＴよりも、オン状態の時の電子移動度が２０〜５０倍程度高く、オン特性が非常に優れていることが分かる。
【００７６】
また、図４に示すように、酸化物半導体を用いたＴＦＴは、オフ状態のときのリーク電流が、ａ−Ｓｉを用いたＴＦＴよりも少ない。図示は省略するが、具体的には、ａ−Ｓｉを用いたＴＦＴは、そのＴＦＴ−ｏｆｆ時のＩｄ電流が１０ｐＡであるのに対し、酸化物半導体を用いたＴＦＴは、そのＴＦＴ−ｏｆｆ時のＩｄ電流が０．１ｐＡ程度である。このことから、酸化物半導体を用いたＴＦＴは、オフ状態のときのリーク電流が、ａ−Ｓｉを用いたＴＦＴの１／１００程度であり、リーク電流が殆ど生じない、オフ特性が非常に優れたものであることが分かる。
【００７７】
本実施形態の表示装置１００は、このような酸化物半導体（特に、ＩＧＺＯ）を用いたＴＦＴを各画素に採用している。
【００７８】
これにより、本実施形態の表示装置１００は、各画素のＴＦＴのオフ特性が優れたものとなるために、表示パネルの複数の画素の各々のソース信号が書き込まれている状態を長期間維持することができる。このため、本実施形態の表示装置１００は、例えば、表示パネル１０２のリフレッシュレートを容易に下げることができる等の効果を奏することができる。
【００７９】
一方、本実施形態の表示装置１００は、各画素のＴＦＴのオフ特性が優れたものとなるために、電源のオフ時にドレイン電極と対向電極との電位差が生じてしまうと、この電位差が解消され難い。しかしながら、本実施形態の表示装置１００は、このような電位差を生じさせない構成を採用しているので、画素の焼き付きや液晶の劣化等の不具合が生じることもない。
【００８０】
また、本実施形態の表示装置１００は、各画素のＴＦＴのオン特性が優れたものとなるために、より小型のＴＦＴで画素を駆動することができるので、各画素において、ＴＦＴが占める面積の割り合いを小さくすることができる。すなわち、各画素における開口率を高め、バックライト光の透過率を高めることができる。その結果、消費電力が少ないバックライトを採用したり、バックライトの輝度を抑制したりすることができるので、消費電力を低減することができる。
【００８１】
さらに、本実施形態の表示装置１００は、各画素のＴＦＴのオン特性が優れたものとなるために、各画素に対するソース信号の書き込み時間をより短時間化することもできるので、表示パネル１０２のリフレッシュレートを容易に高くすることができる。
【００８２】
（変形例）
実施形態では、表示装置１００は、グランド走査期間において、複数の画素Ｐの各々に対してＧＮＤ電圧を書き込むこととした。これに限らず、複数の画素Ｐの各々に対して書き込まれる電圧は、少なくとも、複数の画素の各々のドレイン電位を揃えることができるものであれば、ＧＮＤ電圧以外の電圧であってもよい。
【００８３】
さらに、複数の画素Ｐの各々に対して書き込まれる電圧は、画素毎（もしくは、所定の表示領域毎）に異なっていてもよい。例えば、複数の画素において、特性のばらつきにより、同様にＧＮＤ電圧を印加したとしても、ドレイン電位にばらつきが生じる場合がある。
【００８４】
この場合、表示装置１００は、上記ドレイン電位のばらつきが生じないように、印加する電圧を画素毎に異ならせてもよい。例えば、表示装置１００は、ドレイン電位が目標とする基準電位よりも低くなる画素に対しては、その差分に応じて印加する電圧を高め、ドレイン電位が目標とする基準電位よりも高くなる画素に対しては、その差分に応じて印加する電圧を低くするようにしてもよい。
【００８５】
この場合、表示装置１００は、各画素の電圧値または補正値を、メモリ等に予め格納しておくことが好ましい。また、表示装置１００は、グランド走査期間においては、フレーム毎の極性反転を停止することが好ましい。
【００８６】
（補足説明）
以上、本発明の実施形態について説明したが、本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【００８７】
実施形態では、対向電極駆動回路としての機能を信号線駆動回路１２０に設けることとしたが、これに限らず、当該機能は、少なくともディスプレイ駆動回路１１０内であれば、どのように設けられていてもよい。
【００８８】
また、実施形態では、表示装置１００に適用するＶＣＯＭ２を予め算出しておき、ＶＣＯＭ記憶部１２４に格納しておくこととしたが、例えば、ディスプレイ駆動回路１１０に算出部を設け、この算出部が、第２の電位を算出するようにしてもよい。この場合、算出部は、実施形態で説明した各数式を用いて、第２の電位を算出してもよい。また、算出部は、少なくとも対向電極ＣＯＭの電位を第２の電位に切り替える前に、当該第２の電位を算出すればよい。
【００８９】
また、実施形態では、酸化物半導体（特に、ＩＧＺＯ）を用いたＴＦＴを各画素に採用している表示装置へ本発明を適用する例を説明したが、これに限らず、ａ−Ｓｉを用いたＴＦＴや、ＬＴＰＳを用いたＴＦＴ等の、他のＴＦＴを各画素に採用している表示装置にも、本発明を適用することができる。
【００９０】
また、実施形態では、複数の画素Ｐの各々にＧＮＤ電圧を書き込むのに並行して、対向電極ＣＯＭの電位をＶＣＯＭ１からＶＣＯＭ２に切り替えることが好ましいとしたが、これに限らず、例えば、上記書き込みの前に、上記切り替えを行うことも可能である。
【００９１】
また、実施形態では、表示装置１００の電源をオフに切り替える前に、複数の画素Ｐの各々にＧＮＤ電圧を書き込むことが好ましいとしたが、この書き込みを行わない構成とすることも可能である。
【００９２】
また、実施形態では、信号線駆動回路１２０は、ＶＣＯＭ制御信号を外部から受け取ったことに応じて、対向電圧をＶＣＯＭ１からＶＣＯＭ２に切り替えることとしたが、ＶＣＯＭ制御信号によらずに、表示装置１００の電源がオフされることを検知し、その後任意のタイミングで、対向電圧をＶＣＯＭ１からＶＣＯＭ２に自動的に切り替えるようにしてもよい。
【００９３】
〔まとめ〕
上述のように、本発明の一態様に係る駆動装置は、複数の画素、複数のゲート信号ライン、および複数のソース信号ラインを有する表示パネルを駆動する駆動装置であって、前記複数のゲート信号ラインを順次選択して走査する走査線駆動回路と、選択されたゲート信号ラインに接続された複数の画素の各々に対して、前記複数のソース信号ラインを介して、データ信号を書き込む信号線駆動回路と、前記表示パネルの電源をオフする前に、前記複数の画素の各々の対向電極の電位を、第１の電位から、前記電源をオフした後において当該画素のドレイン電極の電位を前記対向電極の電位に揃えるための第２の電位へ切り替える切り替え手段とを備えることを特徴とする。
【００９４】
表示パネルの電源をオフしたときに生じるドレイン電極の電位の変位量は、そのときの対向電極の電位に影響される。この駆動装置によれば、表示パネルの電源をオフする前に、対向電極の電位を第２の電位に切り替えておくことにより、上記ドレイン電極の電位の変位量を適切なものとし、表示パネルの電源をオフしたときに、対向電極とドレイン電極との電位差を生じさせないことができる。すなわち、この駆動装置によれば、上記電位差を生じさせることなく、表示パネルの電源をオフすることができる。
【００９５】
上記駆動装置において、前記切り替え手段は、前記複数の画素の各々の対向電極の電位を、前記複数の画素の各々の対向電極の電位を、当該画素の前記第１の電位と当該画素のゲート電極のオフ電位とに応じた前記第２の電位へ切り替えることが好ましい。
【００９６】
表示パネルの電源をオフしたときに生じるドレイン電極の電位の変位量は、そのときのゲート電極の電位にも影響される。したがって、ドレイン電位を目標の電位に変位させるためには、当該変位前のゲート電極の電位を考慮する必要がある。また、ドレイン電極の電位を目標の電位に変位させるためには、当該変位前のドレイン電極の電位も考慮する必要がある。なお、変位前のドレイン電極の電位は、実質的に第１の電位と同じであるため、変位前のドレイン電極の電位の代わりに、第１の電位を考慮してもよい。
【００９７】
この構成によれば、ドレイン電極の電位の変位量に影響を及ぼす第１の電位（すなわち、上記変位前のドレイン電極の電位）およびゲート電極の電位が考慮された第２の電位を用いているため、上記ドレイン電極の電位の変位量をより適切なものとし、表示パネルの電源をオフしたときに、対向電極とドレイン電極との電位差をより生じさせないことができる。
【００９８】
また、上記駆動装置において、前記第１の電位をＶＣＯＭ１、前記第２の電位をＶＣＯＭ２、前記ゲート電極のオフ電位をＶＧＬ、とした場合において、以下に示す数式（１）〜（３）を全て満たすように、前記第２の電位が設定されていることが好ましい。
【００９９】
（ＶＣＯＭ１−β×ＶＣＯＭ２）＝α×ＶＧＬ・・・（１）
α＝ＣＤ−Ｇ／（ＣＬＣ＋ＣＣＳ＋ＣＤ−Ｇ＋ＣＤ−Ｓ１＋ＣＤ−Ｓ２）・・・（２）
β＝ＣＬＣ／（ＣＬＣ＋ＣＣＳ＋ＣＤ−Ｇ＋ＣＤ−Ｓ１＋ＣＤ−Ｓ２）・・・（３）
但し、ＣＤ−Ｇは、ゲート−ドレイン間の寄生容量を示す。また、ＣＤ−Ｓ１は、ソース（Ｎ）−ドレイン間の寄生容量を示す。また、ＣＤ−Ｓ２は、ソース（Ｎ＋１）−ドレイン間の寄生容量を示す。また、ＣＬＣは、液晶容量を示す。また、ＣＣＳは、補助容量を示す。
【０１００】
なお、前記対向電極と補助電極とが共通に構成されている画素に対しては、上記数式（３）の代わりに、以下数式（３）´を満たすように、前記第２の電位が設定されていることが好ましい。
【０１０１】
β＝（ＣＬＣ＋ＣＣＳ）／（ＣＬＣ＋ＣＣＳ＋ＣＤ−Ｇ＋ＣＤ−Ｓ１＋ＣＤ−Ｓ２）・・・（３）´
この構成によれば、ドレイン電極の電位の変位量に影響を及ぼす上記各種容量がさらに考慮された第２の電位を用いているため、上記ドレイン電極の電位の変位量をより適切なものとし、表示パネルの電源をオフしたときに、対向電極とドレイン電極との電位差をより生じさせないことができる。
【０１０２】
また、上記駆動装置において、前記信号線駆動回路は、前記表示パネルの電源をオフする前に、前記複数の画素の各々に対して、ＧＮＤ電圧を書き込むことが好ましい。
【０１０３】
この構成によれば、複数の画素の各々のドレイン電位をＧＮＤ電位に揃えることができるため、すなわち、表示パネル面内において各ＴＦＴのドレイン電位の差を無くすことができるため、本発明の効果をパネル全体に均一に反映させることができる。
【０１０４】
また、上記駆動装置において、前記切り替え手段は、前記信号線駆動回路が前記ＧＮＤ電圧の書き込みを行う期間に、前記対向電極の電位を、前記第１の電位から前記第２の電位へ切り替えることが好ましい。
【０１０５】
この構成によれば、上記書き込みの終了を待たずに、上記書き込みと並行して上記切り替えを行うことできるため、例えば、上記書き込みが終了するや否や、表示パネルの電源をオフに切り替えることができる。したがって、表示パネルの電源をオフする際にかかる処理時間を短縮することができる。
【０１０６】
特に、上記書き込みの終了後は、大概、ゲートがオフになっているために、上記切り替えを行った際に対向電圧の変位に伴いドレイン電圧も同様に変位する。このため、液晶両端電位差の変化が少なく本発明の効果が十分に得られない。また、上記書き込みを行う前は、何らかの画像が表示されている状態であるため、このタイミングで上記切り替えを行ってしまうと、各画素において、画像データの実効電圧に大きなズレが生じてしまい、表示不具合を招いてしまう。したがって、上記書き込み中に上記切り替えを行うこの構成によれば、上記したような不具合を生じさせることなく、上記書き込みと上記切り替えとを行うことができる。
【０１０７】
また、上記駆動装置において、前記信号線駆動回路は、当該駆動装置の外部から供給される制御信号によって、前記ＧＮＤ電圧の書き込みを開始するタイミングが制御されることが好ましい。
【０１０８】
この構成によれば、外部からの要求に応じた適切なタイミングで、上記書き込みおよび上記切り替えを行うことができる。
【０１０９】
また、上記駆動装置において、前記複数の画素の各々の前記第２の電位は、当該画素のゲート電極のオフ電位が負極の場合、当該画素の前記第１の電位よりも高い電位であり、当該画素のゲート電極のオフ電位が正極の場合、当該画素の前記第１の電位よりも低い電位であることが好ましい。
【０１１０】
この構成によれば、ゲート電極のオフ電位が負極および正極の場合のいずれであっても、第２の電位として適切なものを用いて、ドレイン電極と対向電極との電位差を生じさせずに、表示パネルの電源をオフすることができる。
【０１１１】
また、上記駆動装置において、前記信号線駆動回路は、前記複数の画素の各々に対して、正極の前記データ信号と、負極の前記データ信号とを、交互に書き込むことが好ましい。
【０１１２】
この構成によれば、複数の画素の各々に対して、正極のデータ信号と負極のデータ信号とをバランスよく書き込むことができるための、その画素特性が一方の極性に偏ってしまうことを防止することができる。また、この構成によれば、表示パネルの電源をオフする前に、複数の画素の各々の対向電極の電位を、ＧＮＤに近づけておくことができるため、表示パネルの電源をオフしたときの対向電極の電位の変位量を抑えることができる。これにより、ドレイン電極の電位の変位量を抑えることができるので、より高精度に、ドレイン電極の電位の変位量を制御することができる。
【０１１３】
また、本発明の一態様に係る表示装置は、複数の画素、複数のゲート信号ライン、および複数の信号線を有する表示パネルと、上記駆動装置とを備えたことを特徴とする。
【０１１４】
この表示装置によれば、上記駆動装置と同様の効果を奏することができる。
【０１１５】
上記表示装置において、前記複数の画素の各々には、液晶画素が用いられていることが好ましい。
【０１１６】
この構成によれば、複数の画素の各々において焼き付きや劣化等の上記電位差による不具合が生じ易い構成であるために、上記電位差を生じさせない構成による、より有用な効果を奏することができる。
【０１１７】
また、上記表示装置において、上記複数の画素の各々が有するスイッチング素子の半導体層には、酸化物半導体が用いられていることが好ましい。特に、上記酸化物半導体は、ＩＧＺＯであることが好ましい。
【０１１８】
この構成によれば、電源のオフ時にドレイン電極と対向電極との電位差が生じてしまうと、この電位差が解消され難い構成であるため、上記電位差を生じさせない構成による、より有用な効果を奏することができる。
【産業上の利用可能性】
【０１１９】
本発明の一態様に係る駆動装置および表示装置は、複数の画素を備えて構成される各種表示装置、およびこのような表示装置を駆動する各種駆動装置に利用可能である。
【符号の説明】
【０１２０】
１００      表示装置
１０２      表示パネル
１１０      ディスプレイ駆動回路（駆動装置）
１１２      タイミングコントローラ
１１３      電源生成回路
１１４      走査線駆動回路
１２０      信号線駆動回路
１２２      ＶＣＯＭ選択回路（切り替え手段）
１２４      ＶＣＯＭ記憶部
１２６      Ｄ／Ａコンバータ
【図１】
2013129239.tif 000003
【図２】
2013129239.tif 000004
【図３】
2013129239.tif 000005
【図４】
2013129239.tif 000006
【図５】
2013129239.tif 000007
【手続補正書】
【提出日】平成26年7月11日(2014.7.11)
【手続補正１】
【補正対象書類名】特許請求の範囲
【補正対象項目名】全文
【補正方法】変更
【補正の内容】
【特許請求の範囲】
【請求項１】
複数の画素、複数のゲート信号ライン、および複数のソース信号ラインを有する表示パネルを駆動する駆動装置であって、
前記複数のゲート信号ラインを順次選択して走査する走査線駆動回路と、
選択されたゲート信号ラインに接続された複数の画素の各々に対して、前記複数のソース信号ラインを介して、データ信号を書き込む信号線駆動回路と、
前記表示パネルの電源をオフする前に、前記複数の画素の各々の対向電極の電位を、第１の電位から、前記電源をオフした後において当該画素の備えるＴＦＴの画素電極であるドレイン電極の電位を前記対向電極の電位に揃えるための第２の電位へ切り替える切り替え手段と、を備え、
前記ＴＦＴは、前記ソース信号ラインに接続されているソース電極を備え、
前記切り替え手段は、前記複数の画素の各々の対向電極の電位を、当該画素の前記第１の電位と当該画素のゲート電極のオフ電位とに応じた前記第２の電位へ切り替える
ことを特徴とする駆動装置。
【請求項２】
前記第１の電位をＶＣＯＭ１、前記第２の電位をＶＣＯＭ２、前記ゲート電極のオフ電位をＶＧＬ、とした場合において、以下に示す数式（１）〜（３）を全て満たすように、前記第２の電位が設定されていることを特徴とする請求項１に記載の駆動装置。
（ＶＣＯＭ１−β×ＶＣＯＭ２）＝α×ＶＧＬ・・・（１）
α＝ＣＤ−Ｇ／（ＣＬＣ＋ＣＣＳ＋ＣＤ−Ｇ＋ＣＤ−Ｓ１＋ＣＤ−Ｓ２）・・・（２）
β＝ＣＬＣ／（ＣＬＣ＋ＣＣＳ＋ＣＤ−Ｇ＋ＣＤ−Ｓ１＋ＣＤ−Ｓ２）・・・（３）
但し、ＣＤ−Ｇは、ゲート−ドレイン間の寄生容量を示す。また、ＣＤ−Ｓ１は、ソース（Ｎ）−ドレイン間の寄生容量を示す。また、ＣＤ−Ｓ２は、ソース（Ｎ＋１）−ドレイン間の寄生容量を示す。また、ＣＬＣは、液晶容量を示す。また、ＣＣＳは、補助容量を示す。また、ソース（Ｎ）は、或る画素においてドレイン電極にソース信号を供給するソース信号ライン（Ｎ）を示し、ソース（Ｎ＋１）は、ゲート信号ライン方向にドレイン電極と隣接するソース信号ライン（Ｎ＋１）を示す。
【請求項３】
前記対向電極と補助電極とが共通に構成されている画素に対しては、上記数式（３）の代わりに、以下数式（３）´を満たすように、前記第２の電位が設定されていることを特徴とする請求項２に記載の駆動装置。
β＝（ＣＬＣ＋ＣＣＳ）／（ＣＬＣ＋ＣＣＳ＋ＣＤ−Ｇ＋ＣＤ−Ｓ１＋ＣＤ−Ｓ２）・・・（３）´
【請求項４】
前記信号線駆動回路は、
前記表示パネルの電源をオフする前に、前記複数の画素の各々に対して、ＧＮＤ電圧を書き込む
ことを特徴とする請求項１から３のいずれか一項に記載の駆動装置。
【請求項５】
前記切り替え手段は、
前記信号線駆動回路が前記ＧＮＤ電圧の書き込みを行う期間に、前記対向電極の電位を、前記第１の電位から前記第２の電位へ切り替える
ことを特徴とする請求項４に記載の駆動装置。
【請求項６】
前記信号線駆動回路は、
当該駆動装置の外部から供給される制御信号によって、前記ＧＮＤ電圧の書き込みを開始するタイミングが制御される
ことを特徴とする請求項４または５に記載の駆動装置。
【請求項７】
前記複数の画素の各々の前記第２の電位は、当該画素のゲート電極のオフ電位が負極の場合、当該画素の前記第１の電位よりも高い電位であり、当該画素のゲート電極のオフ電位が正極の場合、当該画素の前記第１の電位よりも低い電位である
ことを特徴とする請求項１から６のいずれか一項に記載の駆動装置。
【請求項８】
前記信号線駆動回路は、
前記複数の画素の各々に対して、正極の前記データ信号と、負極の前記データ信号とを、交互に書き込む
ことを特徴とする請求項１から７のいずれか一項に記載の駆動装置。
【請求項９】
複数の画素、複数のゲート信号ライン、および複数のソース信号ラインを有する表示パネルと、
請求項１から８のいずれか一項に記載の駆動装置と
を備えたことを特徴とする表示装置。
【請求項１０】
前記複数の画素の各々には、液晶画素が用いられていることを特徴とする請求項９に記載の表示装置。
【請求項１１】
前記複数の画素の各々が有するスイッチング素子の半導体層には、酸化物半導体が用いられていることを特徴とする請求項９または１０に記載の表示装置。
【請求項１２】
前記酸化物半導体は、ＩｎＧａＺｎＯｘであることを特徴とする請求項１１に記載の表示装置。
【手続補正２】
【補正対象書類名】明細書
【補正対象項目名】００６２
【補正方法】変更
【補正の内容】
【００６２】
図３において、ＣＤ−Ｇは、ゲート−ドレイン間の寄生容量を示す。また、ＣＤ−Ｓ１は、ソース（Ｎ）−ドレイン間の寄生容量を示す。また、ＣＤ−Ｓ２は、ソース（Ｎ＋１）−ドレイン間の寄生容量を示す。また、ＣＬＣは、液晶容量を示す。また、ＣＣＳは、補助容量を示す。また、ＣＯＭは、対向電極を示す。また、ＣＳは、補助電極を示す。また、ソース（Ｎ）は、或る画素においてドレイン電極にソース信号を供給するソース信号ライン（Ｎ）を示し、ソース（Ｎ＋１）は、ゲート信号ライン方向にドレイン電極と隣接するソース信号ライン（Ｎ＋１）を示す。
【国際調査報告】
2013129239.tif 000008
2013129239.tif 000009
2013129239.tif 000010
2013129239.tif 000011
2013129239.tif 000012
2013129239.tif 000013